(57)【要約】【課題】構造が簡単で量産性に優れ安価な気液分離装置及び気液分離装置を備えた空気調和機を提供する。【解決手段】共通のダクトを介して換気及びドレン水の排水を行い、前記ダクトの一端に取り付けられた気液分離装置を備え、この気液分離装置はダクトの他端に取り付けられた円筒体状の気液分離部を備え、この気液分離部の一側にダクトが連通し、他側にダクトの開口に対向して給排気口が設けられ、かつ、この気液分離部の円周部の接線方向に突出して設けられた筒状の第１のドレンホース接続口と、この気液分離部の円周接線方向で前記第１のドレンホース接続口通路中心対称位置の対向面に設けられ、且つ第１のドレンホース接続口の突出方向と直交する方向に突出して設けられた第２のドレンホース接続口とが設けられる。【選択図】  図３
2008157494.tif 000002
【特許請求の範囲】
【請求項１】
空気の換気通路とドレン水の排水路を共通のダクトを介して室内側から室外側に導き、このダクトの屋外側に延出させた一端に取り付けられ気体と液体を分離させるように構成する気液分離装置において、前記気液分離装置は前記ダクトの一端に連結しダクトと連通するダクト連結部と、このダクト連結部に一側が連通しダクト連結部より大きな内径の円筒体状の円周部を構成する気液分離部と、この気液分離部の前記ダクト開口に対向した他側に形成した給排気口と、この気液分離部の円周部の接線方向に突出して設けられた筒状の第１のドレンホース接続口と、この気液分離部の円周接線方向で前記第１のドレンホース接続口通路中心対称位置の対向面に設けられ、且つ第１のドレンホース接続口の突出方向と直交する方向に突出して設けられた第２のドレンホース接続口とを備えたことを特徴とする気液分離装置。
【請求項２】
吸込口と吹出口を連通する送風路に、エアフィルタ、室内側熱交換器、室内送風機、室内側熱交換器の下方にドレン水を受けるドレンパン、室内空気を室外に排気もしくは室内空気を室内に導入するための送風機を備えた換気ユニットを備え、換気ユニットと室外を連通する空気通路と前記ドレン水を室外に排出するための排水路を共通のダクトを介して室内側から室外側に導き、このダクトの屋外側に延出させた一端に取り付けられ気体と液体を分離させるように構成する気液分離装置を備えた空気調和機において、前記気液分離装置は、前記ダクトの一端に連結しダクトと連通するダクト連結部と、このダクト連結部に一側が連通しダクト連結部より大きな内径の円筒体状の円周部を構成する気液分離部と、この気液分離部の前記ダクト開口に対向した他側に形成した給排気口と、この気液分離部の円周部の接線方向に突出して設けられた筒状の第１のドレンホース接続口と、この気液分離部の円周接線方向で前記第１のドレンホース接続口通路中心対称位置の対向面に設けられ、且つ第１のドレンホース接続口の突出方向と直交する方向に突出して設けられた第２のドレンホース接続口とを備えたことを特徴とする気液分離装置を備えた空気調和機。
【請求項３】
前記気液分離装置は、前記ダクト連結部の取付位置が円周方向において変更可能であることを特徴とする請求項１又は２に記載の気液分離装置及び気液分離装置を備えた空気調和機。
【発明の詳細な説明】
【技術分野】
【０００１】
本発明は空気の換気とドレン水の排水を共通のダクトを介して室外に延出させ、室外において空気と水分とを分離させるように構成した気液分離装置及び気液分離装置を備えた空気調和機に関する。
【背景技術】
【０００２】
近年、空気調和機は冷暖房機能に加えて、排気あるいは給気の換気機能、フィルタ清掃機能を備えた空気調和機が実用化されている。
【０００３】
この種の空気調和機の室内機を室内壁に取り付ける場合、壁を貫通して室内外を連通させるパイプ及びダクトは、室内機と室外機を連結する冷媒配管、ドレン水の排水ホースの他に、室内機と外気を連通する排気或いは給気用の換気ダクト、フィルタ清掃用埃排出用のダクト等が必要となり、各機能を維持するためには、壁貫通孔を大きくしたり２個必要となったりして、据え付け工事上、問題があった。
【０００４】
この問題を解決するために、特許文献１に記載の気液分離装置が提案されている。
【０００５】
しかしながら特許文献１に記載の気液分離装置は、共用ホースの上側外周に排気ダクトを設け、その下側に接続部及びシール部を介して回動可能にドレンホースを設けているため、構造が複雑で量産性に劣り高価になる。
【特許文献１】特開２００４−１３２５６６号公報
【発明の開示】
【発明が解決しようとする課題】
【０００６】
本発明は上述した事情を考慮してなされたもので、構造が簡単で量産性に優れ安価な気液分離装置及び気液分離装置を備えた空気調和機を提供することを目的とする。
【課題を解決するための手段】
【０００７】
上述した目的を達成するため、本発明に係る気液分離装置は、空気の換気通路とドレン水の排水路を共通のダクトを介して室内側から室外側に導き、このダクトの屋外側に延出させた一端に取り付けられた空気調和機の気液分離装置において、前記気液分離装置は前記ダクトの一端に連結しダクトと連通するダクト連結部と、このダクト連結部に一側が連通しダクト連結部より大きな内径の円筒体状の円周部を構成する気液分離部と、この気液分離部の前記ダクト開口に対向した他側に形成した給排気口と、この気液分離部の円周部の接線方向に突出して設けられた筒状の第１のドレンホース接続口と、この気液分離部の円周接線方向で前記第１のドレンホース接続口通路中心対称位置の対向面に設けられ且つ第１のドレンホース接続口の突出方向と直交する方向に突出して設けられた第２のドレンホース接続口とを備えたことを特徴とする。また、本発明に係る気液分離装置を備えた空気調和機は、吸込口と吹出口を連通する送風路に、エアフィルタ、室内側熱交換器、室内送風機、室内側熱交換器の下方にドレン水を受けるドレンパン、室内空気を室外に排気もしくは室内空気を室内に導入するための送風機を備えた換気ユニットを備え、換気ユニットと室外を連通する空気通路と前記ドレン水を室外に排出するための排水路を共通のダクトを介して室内側から室外側に導き、このダクトの屋外側に延出させた一端に取り付けられ気体と液体を分離させるように構成する気液分離装置を備えた空気調和機において、前記気液分離装置は、前記ダクトの一端に連結しダクトと連通するダクト連結部と、このダクト連結部に一側が連通しダクト連結部より大きな内径の円筒体状の円周部を構成する気液分離部と、この気液分離部の前記ダクト開口に対向した他側に形成した給排気口と、この気液分離部の円周部の接線方向に突出して設けられた筒状の第１のドレンホース接続口と、この気液分離部の円周接線方向で前記第１のドレンホース接続口通路中心対称位置の対向面に設けられ、且つ第１のドレンホース接続口の突出方向と直交する方向に突出して設けられた第２のドレンホース接続口とを備えたことを特徴とする。
【発明の効果】
【０００８】
本発明によれば、ドレンホースを回動可能に連結することなく、気液分離部の取付角度を変えて装着するのみで、ドレンホースの取出し方向を設定できるため、構造が簡単で量産性に優れ安価な気液分離装置および気液分離部を備えた空気調和機を提供することができる。
【発明を実施するための最良の形態】
【０００９】
本発明の一実施形態に係る空気調和機について添付図面を参照して説明する。
【００１０】
図１は本発明の一実施形態に係る空気調和機の室内機の縦断面図である。
【００１１】
なお、符号を付さない構成部材は図示しない。
【００１２】
図１に示すように、本発明の一実施形態に係る空気調和機は、室内機１と部屋壁Ｗを貫通する冷媒配管２によって接続される室外機からなる。
【００１３】
この室内機１は前面部に前面吸込口３が、上面部には上面吸込口４が開口され、さらに、下部には吹出口５が開口され、吹出口５には回動式のルーバ６が設けられる。
【００１４】
両吸込口３、４と吹出口５を連通する送風路７には、電気集塵器８、前面フィルタ９Ａ及び上面フィルタ９Ｂから構成されるエアフィルタ９、室内側熱交換器１０、室内送風機１１が配される。
【００１５】
また、室内側熱交換器１０の下方には、ドレン水を受けるドレンパン１２が設けられ、このドレンパン１２で受けたドレン水は室内機１の一側部に配した排水路１３を介して、同様に室内機１の一側部に配した換気ユニット１４に接続し室内側から室外側に導く空気通路を構成する共通のダクト１５に導かれる。
【００１６】
さらに、室内機１内の上方前部には、エアフィルタ９を定期的、自動的に清掃するフィルタ清掃装置１６が設けられる。このフィルタ清掃装置１６は、エアフィルタ９に付着した塵埃を自動清掃するもので、室内側熱交換器１０の前方に配される前面フィルタ９Ａと上面フィルタ９Ｂからなるエアフィルタ９の間に配置され、この前面フィルタ９Ａと上面フィルタ９Ｂを夫々フィルタ清掃装置１６に向けて往復移動させるラックとピニオンを利用したフィルタ移動機構(図示せず)と、埃溜容器１８と回転ブラシ１９とから構成され、埃溜容器１８は換気ユニット１４に連通させるように構成されている。
【００１７】
換気ユニット１４はダンパー機構を備え、このダンパー機構により送風路７とダクト１５を適宜連通、或いは前記埃溜容器１８とダクト１５を適宜連通させて、室内空気を室外に排出し、あるいは室外空気を室内に取り入れる或いは、前記埃溜容器１８内に収集した塵埃を室外に排出させるように構成する。
【００１８】
換気ユニット１４に一端が接続されるダクト１５の他端には、気液分離装置２０が取り付けられる。
【００１９】
図２及び図３に示すように、気液分離装置２０は、中央部に円筒体状の円周部を構成する気液分離部２１を備え、この気液分離部２１の一側にダクト１５の一端に連通する開口２２、他側にダクト１５の開口２２に対向して給排気口２３が設けられる。上記気液分離部２１の開口２２は、ダクト１５と連結させるためのダクト連結部２４を形成している。
【００２０】
上記ダクト連結部２４は、ダクト１５の端部と略同等の径でなり、上記気液分離部２１は、ダクト連結部より大きな内径の円筒体状の円周部を構成している。
【００２１】
気液分離装置２０のダクト１５への取り付けは、ダクト１５の先端部に、気液分離部２１のダクト連結部２４に設けたリング状の嵌合溝２５を嵌合することで行う。この嵌合溝２５はダクト１５への取り付け位置が円周方向で回動させて変更可能に取り付けられる。
【００２２】
また、給排気口２３には虫除け手段２６が設けられ、この虫除け手段２６は、別個に設けたメッシュ状の虫除け板を取り付けるか、給排気口と一体にメッシュ状に成形してもよい。
【００２３】
さらに、気液分離部２１の円周部には、ドレンホース２７が選択的に取り付けられる２個の筒状の第１及び第２のドレンホース接続口２８ａ、２８ｂが突出して設けられている。この第１及び第２のドレンホース接続口２８ａ、２８ｂは、第１のドレンホース接続口２８ａが、気液分離部２１の円周部の接線方向に突出して設けられ、第２のドレンホース接続口２８ｂが、この気液分離部２１の円周接線方向で、前記第１のドレンホース接続口２８ａの通路中心対称位置の対向面に設けられ、且つ第１のドレンホース接続口２８ａの突出方向と直交する方向に突出して設けられている。
【００２４】
図４に示すように、ドレンホース２７を垂直状態に取り付ける場合、第１のドレンホース接続口２８ａにドレンホース２７を取り付ける。これにより第１のドレンホース接続口２８ａが、気液分離装置２０の気液分離部２１左側下縁部に位置し、気液分離装置２０の気液分離部２１の下部凹部に流下したドレン水が溜まることなく、ドレンホース２７より下方向に流下して、確実に排水できる。なお、不使用の第２のドレンホース接続口２８ｂには、必要に応じて、キャップを取り付けてもよい。
【００２５】
図５に示すように、ドレンホース２７を右側横方向に延びる状態で取り付ける場合も同様に、気液分離装置２０のダクト１５への取り付け位置を、図４に示す位置より円周方向で９０°反時計方向に回動させた位置で嵌合溝２５により取付け、第１のドレンホース接続口２８ａにドレンホース２７を取り付ける。第１のドレンホース接続口２８ａは、気液分離装置２０の気液分離部２１右側下縁部に位置し、気液分離装置２０の気液分離部２１の下部凹部に流下したドレン水が溜まることなく、ドレンホース２７より横方向に流下して、確実に排水できる。
【００２６】
なお、図示しないが、ドレンホース２７を左側横方向に延びる状態で取り付ける場合も同様に、気液分離装置２０のダクト１５への取り付け位置を、図５に示す位置より円周方向で９０°反時計方向に回動させた位置で嵌合溝２５により取付け、第２のドレンホース接続口２８ｂにドレンホース２７を取り付ける。第２のドレンホース接続口２８ｂは、気液分離装置２０の気液分離部２１左側下縁部に位置し、気液分離装置２０の気液分離部２１の下部凹部に流下したドレン水が溜まることなく、ドレンホース２７より横方向に流下して、確実に排水できる。
【００２７】
また、図示しないが、ドレンホース２７図４に示すドレンホース２７を垂直状態に取り付ける場合と反対側の気液分離部２１右側下縁部に位置するように取り付けることも出来る。この場合は、図４に示す位置より円周方向で９０°時計方向に回動させた位置で嵌合溝２５により取付け、第２のドレンホース接続口２８ｂにドレンホース２７を取り付ける。第２のドレンホース接続口２８ｂは、気液分離装置２０の気液分離部２１右側下縁部に位置し、気液分離装置２０の気液分離部２１の下部凹部に流下したドレン水が溜まることなく、ドレンホース２７より下方に流下して、確実に排水できる。
【００２８】
以上の図１に示す本実施形態の空気調和機において、室内側熱交換器１０が蒸発器として作用する冷房・除湿運転時には、室内側熱交換器１０より流下したドレン水は、ドレンパン１２、排水路１３を介して、ダクト１５により屋外に導かれ、さらに、気液分離装置２０のダクト連結部２４から気液分離部２１に流下して底部に集められ、気液分離部２１の底部に形成する第１のドレンホース接続口２８ａまたは第２のドレンホース接続口２８ｂを介してドレンホース２７から室外に排水される。
【００２９】
この排水過程において、第１のドレンホース接続口２８ａまたは第２のドレンホース接続口２８ｂは円筒体状の気液分離部２１の周囲から接線方向に延び、円弧状の下縁部２９に位置しているので、ドレン水は気液分離装置２０に溜まることなく、確実に排水される。
【００３０】
一方、冷房・除湿運転時あるいは室内側熱交換器１０が凝縮器として作用する暖房運転時、換気ユニット１４及びダンパー機構を作動させて、ダクト１５、気液分離装置２０を介して、室内空気を室外に排出あるいは室外空気を室内に取り入れる換気運転を行う。このとき、ダクト１５と連通する開口２２に対向して給排気口２３が設けられ、すなわちダクト１５と給排気口２３が一直線上に配置されるので、通風抵抗なく、給排気を行うことができる。
【００３１】
また、フィルタ清掃装置１６によりエアフィルタ９から除去され、埃溜容器１８に溜められた塵埃は、換気ユニット１４を操作して埃排出モードとし、埃排出モードによる運転時、換気ユニット１４、ダクト１５、及び気液分離装置２０を介して、排気とともに、室外に排出される。
【００３２】
上記空気調和機の気液分離装置において、気液分離部の円周部の接線方向に突出して設けられた筒状の第１のドレンホース接続口と、この気液分離部の円周接線方向で前記第１のドレンホース接続口通路中心対称位置の対向面に設けられ、且つ第１のドレンホース接続口の突出方向と直交する方向に突出して設けられた第２のドレンホース接続口とを設けることにより、ドレンホース接続口を接続部及びシール部を介して回動可能に設ける従来とは異なり、構造が簡単になり、量産性に適し、さらに、ダクトの中心線から上側外周に偏倚して排気口（排気ダクト）を設ける従来とは異なり、ダクト１５と給排気口２３を一直線上に配置し、通風抵抗なく、給排気を行うことができる。
【００３３】
本実施形態の空気調和機によれば、構造が簡単で量産性に優れ安価な空気調和機の気液分離装置が実現する。
【００３４】
なお、上記実施形態の空気調和機では、室内機と室外機を冷媒配管で接続したスプリット式空気調和機において、ダクトを室内機に取り付ける例で説明したが、ウインド型あるいは床据付型のような一体型の空気調和機であっても、同様の効果を期待できる。
【図面の簡単な説明】
【００３５】
【図１】本発明の一実施形態に係る空気調和機の縦断面図。
【図２】本発明の一実施形態に係る空気調和機に用いる気液分離装置を拡大して示す縦断面図。
【図３】本発明の一実施形態に係る空気調和機に用いる気液分離装置を分解して示す斜視図。
【図４】本発明の一実施形態に係る空気調和機に用いる気液分離装置のドレンホース取り付け状態（垂直）を示す概念図。
【図５】本発明の一実施形態に係る空気調和機に用いる気液分離装置のドレンホース取り付け状態（水平）を示す概念図。
【符号の説明】
【００３６】
１…室内機、２…冷媒配管、７…送風路、９…エアフィルタ、１０…室内側熱交換器、１１…室内送風機、１２…ドレンパン、１３…排水路、１４…換気ユニット、１５…ダクト、１６…フィルタ清掃装置、１８…埃溜容器、２０…気液分離装置、２１…気液分離部、２２…開口、２３…給排気口、２４…ダクト連結部、２５…嵌合溝、２６…虫除け手段、２７…ドレンホース、２８…ドレンホース接続口、Ｗ…部屋壁。
【図１】
2008157494.tif 000003
【図２】
2008157494.tif 000004
【図３】
2008157494.tif 000005
【図４】
2008157494.tif 000006
【図５】
2008157494.tif 000007